(57)【要約】【課題】  毛髪、及びごみ等が捕集しやすく、特に堆積した毛髪やごみなどが取除き、廃棄しやすくされたヘアキャッチャーである。【解決手段】  支軸に排水口内をガイド摺動する複数の羽根が設けられ、該羽根間に支軸より放射状へ延展する複数のリブでなる捕集ネットが設けられたヘアキャッチャーである。そして、捕集ネットの外周側、又は内周側を自由端とするものである。【選択図】図１
2009121216.tif 000002
【特許請求の範囲】
【請求項１】
支軸に排水口内をガイド摺動する複数の羽根が設けられ、該羽根間に支軸より放射状へ延展し、外周側を自由端とする複数のリブでなる捕集ネットが設けられたことを特徴とするヘアキャッチャー。
【請求項２】
支軸に排水口内をガイド摺動する複数の羽根が設けられ、該羽根間に放射状へ展設された複数のリブでなる捕集ネットの外周側には、枠骨が設けられて羽根間を接続し、この捕集ネットの内周側には、支軸との接続のない自由端が形成されていることを特徴とするヘアキャッチャー。
【請求項３】
捕集ネットの外周側に設けられた羽根間を接続するリング状の枠骨には、羽根との接続基部に切欠部を刻設し、該切欠部によって羽根よりの捕集ネットの切除がされることを特徴とする請求項２記載のヘアキャッチャー。
【請求項４】
捕集ネットの上面が支軸側を凹ませて擂鉢状にされたことを特徴とする請求項１乃至３のいずれか１項に記載のヘアキャッチャー。
【発明の詳細な説明】
【技術分野】
【０００１】  本発明は、毛髪、及びごみ等が捕集しやすい、特に、堆積した毛髪、及びごみ等が取除き、廃棄しやすくされたヘアキャッチャーに係るものである。
そして、捕集ネットが不用の場合には、これを簡単、且つ容易に取除けるようにしたヘアキャッチャーに関するものである。
【背景技術】
【０００２】  従来には、排水性能の低下を防ぐと共に清掃性を向上させるヘアキャッチャーとして、排水栓の支軸を挿通する筒軸と、その外周側のリングと間にＶ字形環帯状の捕集ネットが形成されたものがあった（特許文献１）。
そして、このヘアキャッチャーは、Ｖ字形環帯状の捕集ネットのＶ字形の底部に毛髪やごみなどが纏まるので、容易に取除くことのできるものである。更に、毛髪やごみなどがＶ字形の底部に纏まるので、これによって、排水口の塞がることを遅延し、排水性の向上を遂げることができるというものである。【０００３】
【特許文献１】  特開２００７−８５１０２
【発明の開示】
【発明が解決しようとする課題】
【０００４】  ところで、排水栓の支軸を挿通する筒軸と、その外周側のリングと間にＶ字形環帯状の捕集ネットが形成されたヘアキャッチャーは、毛髪やごみなどを捕集ネットのＶ字形の底部に纏めることができても、清掃の際、毛髪やごみなどが輪状に纏め堆積されているので、筒軸などに引掛かって抜き落すことができず、廃棄に困難を来たしていた。
また、このようなヘアキャッチャーを排水口に装着するのに、捕集ネットの外周側のリングのみのガイドでは、不確実で、容易でなかった。
【課題を解決するための手段】
【０００５】  本発明のヘアキャッチャーは、支軸に排水口内をガイド摺動する複数の羽根が設けられ、該羽根間に支軸より放射状へ延展し、外周側を自由端とする複数のリブでなる捕集ネットが設けられたものである。【０００６】  本発明のヘアキャッチャーは、支軸に排水口内をガイド摺動する複数の羽根が設けられ、該羽根間に放射状へ展設された複数のリブでなる捕集ネットの外周側には、枠骨が設けられて羽根間を接続し、この捕集ネットの内周側には、支軸との接続のない自由端が形成されているものである。【０００７】  本発明のヘアキャッチャーは、捕集ネットの外周側に設けられた羽根間を接続するリング状の枠骨には、羽根との接続基部に切欠部を刻設し、該切欠部によって羽根よりの捕集ネットの切除がされるものである。【０００８】  本発明のヘアキャッチャーは、捕集ネットの上面が支軸側を凹ませて擂鉢状にされたものである。
【発明の効果】
【０００９】  本発明のヘアキャッチャーは、支軸に排水口内をガイド摺動する羽根が設けられていることによって、該ヘアキャッチャーの排水口内への挿入、ガイドが簡単、且つ容易にでき、確実性がある。【００１０】  本発明のヘアキャッチャーは、羽根間に延展される放射状の複数のリブからなる捕集ネットが、必ず、その外周端か、内周端かのいずれかを接続のない自由端にされているので、この捕集ネットに堆積した毛髪やごみなどが自由端より引き抜き取りでき、清掃が簡単、かつ容易である。即ち、捕集ネットの外周端が自由端の場合は、捕集ネットに堆積した毛髪やごみなどを放射方向へ梳くことによって良好に清掃でき、また捕集ネットの内側端が自由端の場合は、捕集ネットに堆積した毛髪やごみなどを求心方向へ梳くことによって良好な清掃ができるものである。【００１１】  本発明のヘアキャッチャーは、羽根間に展設された捕集ネットの外周側には、枠骨が設けられて羽根間を接続し、この捕集ネットの内周側には、支軸との接続のない自由端が形成され、その上、前記枠骨には、羽根との接続基部に切欠部を刻設しているので、捕集ネットが不用で、切除したい場合には、その切欠部をもって切除すればよく、この切除が簡単且つ容易にできる。
よって、このヘアキャッチャーで、捕集ネットの有無の２用途の対応ができ、リング状の枠骨に切欠部を刻設するだけで捕集ネットの有無の共用ができる。【００１２】  本発明のヘアキャッチャーは、捕集ネットの上面が支軸側を凹ませて擂鉢状にされているので、毛髪やごみ等を捕集ネットの外周側に堆積することなく、ときには生じがちの、該外周側と排水口内周と間に毛髪やごみ等を挟み込んで、ヘアキャッチャーの抜き差しに支障を来たしていたようなことが起きずにすみ、結局、毛髪及びごみなどを捕集ネットの支軸方向へ寄せて堆積するので、排水性能に支障を起して低下させるようなことがない。そして、使用勝手にも影響がないようにできる。
【発明を実施するための形態】
【００１３】  本発明のヘアキャッチャーは、その捕集ネットによって毛髪やごみなどが捕集しやすく、その上、堆積した毛髪やごみなどを取除き、廃棄する清掃がしやすくしたものであって、この捕集ネットが不用の折には、容易に、切除できるものである。
【００１４】  図１は、ヘアキャッチャー１を栓蓋２に取付けた排水栓ａが排水口金具ｂに装填された状態を示すものであって、ヘアキャッチャー１は、支軸１１と、羽根１２と、捕集ネット１３とでなり、排水口金具ｂ内をガイド摺動するように、支軸１１に複数の羽根１２が設けられ、該羽根間には、支軸１１より複数のリブを放射状に延展する捕集ネット１３が設けられている。
そして、支軸１１には、上方端部に栓蓋２が螺着などで取付けられ、下方端部に、その下方端部に形成された接合孔１１１をもって、排水管ｃへ挿通された遠隔操作するレリースワイヤｄの作動部ｄ１が接合される。
【実施例１】
【００１５】  排水栓の栓蓋２が取付けられたヘアキャッチャー１は、図２、図３に示すように、支軸１１にその軸方向へ沿設される複数の羽根１２が設けられ、該羽根間には、その羽根１２の一定下方周部位に延展する捕集ネット１３が設けられている。
例えば、図２の如く、各羽根１２間の各々の下方周部位には捕集ネット１３が延展される。
捕集ネット１３は、支軸１１より各羽根１２間における支軸の周方向に放射状へ伸延する複数のリブ１３１でなる。
なお、接合孔１１１は、遠隔操作するレリースワイヤの作動部を接合するためのものである。
このヘアキャッチャーは、羽根が軸方向へ長くされているので、排水口内でのガタつかない安定したガイド摺動をすることができ、しかも、このようなガイド摺動を簡単かつ容易にできる。
そして、捕集ネット１３は、支軸１１に設けられた羽根１２間を放射状へ延展し、外周側を自由端とする複数のリブ１３１で構成されているので、毛髪やごみなどが、該捕集ネットに良好な捕集、堆積される。この堆積された毛髪やごみなどを廃棄するときには、毛髪やごみなどが放射状へ梳けば、簡単かつ容易に清掃することができるものである。
【実施例２】
【００１６】  その他の栓蓋２が取付けられたヘアキャッチャー１ａは、図４、図５に示す如く、支軸１１ａに複数の羽根１２ａが設けられ、該羽根間に支軸１１ａより放射状へ延展する複数のリブ１３１でなる捕集ネット１３ａを設け、羽根間に展設された該捕集ネットの外周側にはリング状の枠骨１３２が設けられて羽根１２ａ間を接続し、この捕集ネット１３ａの内周側には支軸１１ａとの接続のない自由端が形成されているものである。
よって、このヘアキャッチャー１ａは、軸方向へ長くした羽根によって排水口内をガイド摺動するので、ガタつくことのない安定した良好な摺動をすることができ、そして、羽根１２ａ間に支軸１１ａより放射状へ延展される複数のリブ１３１でなる捕集ネット１３ａが、その外側周端に設けられたリング状の枠骨１３２に、それより支軸１１ａへ求心状に延設するリブ１３１のその先端が、支軸１１ａとの間に隙間を形成する自由端とされるものであるので、毛髪やごみなどの良好な捕集と堆積をさせることができ、この堆積した毛髪やごみなどを廃棄するには、支軸１１ａ方向へ求心状に梳けば、簡単かつ容易に清掃することのできるものである。
【実施例３】
【００１７】  図５、図６に示す如く、捕集ネット１３ａの外周側に設けられた羽根１２ａ間を接続するリング状の枠骨１３２には、羽根１２ａとの接続基部に切欠部１３３を刻設し、特に、枠骨１３２を容易に破断しやすくするため、羽根１２ａの両側面延長上における枠骨の外周側に相対する楔形の切欠部１３３を刻設する。
よって、毛髪やごみなどを捕集、堆積する捕集ネット１３ａが不用で、取除きたい場合には、その切欠部を破断すれば、切除することが簡単且つ容易にできる。
【実施例４】
【００１８】  捕集ネットの上面が支軸側を凹ませて擂鉢状にされたものを、図７ａ、図７ｂによって示す。
図７ａは、羽根１２間に支軸１１より放射状へ延展する複数のリブ３１でなる捕集ネット３にあって、その外周側が自由端とされるものを示す。その捕集ネット３の上面が支軸側を凹ませて擂鉢状面３２とされるものである。
また、図７ｂは、羽根１２ａ間に展設された複数の放射状リブ３１ａでなる捕集ネット３ａにあって、外周側に枠骨１３２が設けられて羽根１２ａ間を接続し、この捕集ネット３ａの内周側を支軸と接続しない自由端としたものを示し、その捕集ネット３ａの上面が支軸側を凹ませて擂鉢状面３２ａとされるものである。
以上、捕集ネット３、３ａの上面を擂鉢状面３２、３２ａとすることによって、毛髪やごみなどが捕集ネットの外周側に堆積することなく、まして、挟み込んでしまうことなく、捕集ネットの擂鉢状の凹みへ良好に纏めて堆積させることができ、堆積した毛髪やごみなどは簡単かつ容易に清掃することができるものである。
【図面の簡単な説明】
【００１９】
【図１】  ヘアキャッチャーを排水口金具に装填された状態図である。
【図２】  捕集ネットの外周側を自由端としたヘアキャッチャーの１部断面側面図である。
【図３】  外周側を自由端とする捕集ネットの下視図である。
【図４】  捕集ネットの内周側を自由端としたヘアキャッチャーの１部断面側面図である。
【図５】  内周側を自由端とする捕集ネットの下視図である。
【図６】  捕集ネットの枠骨における１部拡大図である。
【図７ａ】  外周側を自由端とする捕集ネットの上面が擂鉢状にされた状態図である
【図７ｂ】  内周側を自由端とする捕集ネットの上面が擂鉢状にされた状態図である
【符号の説明】
【００２０】        ａ      排水栓
ｂ      排水口金具
ｃ      排水管
ｄ      レリースワイヤ
ｄ１    作動部
１      ヘアキャッチャー
１ａ    ヘアキャッチャー
１１    支軸
１１ａ  支軸
１１１  接合孔
１２    羽根
１２ａ  羽根
１３    捕集ネット
１３ａ  捕集ネット
１３１  リブ
１３２  枠骨
１３３  切欠部
２      栓蓋
３      捕集ネット
３ａ    捕集ネット
３１    リブ
３１ａ  リブ
３２    擂鉢状面
３２ａ  擂鉢状面
【図１】
2009121216.tif 000003
【図２】
2009121216.tif 000004
【図３】
2009121216.tif 000005
【図４】
2009121216.tif 000006
【図５】
2009121216.tif 000007
【図６】
2009121216.tif 000008
【図７ａ】
2009121216.tif 000009
【図７ｂ】
2009121216.tif 000010